(57)【要約】【課題】パチンコ遊技機の窓にはめ込まれる透明板を改善する。【解決手段】閉窓体２４は、樹脂板２６と枠部２５とが合成樹脂製であるので合計重量は小さくて、着脱等の作業における取り扱いが簡単になる。樹脂板２６と枠部２５とが樹脂部材として一体成形されているので製造工程が単純化され製造効率も向上する。遊技者に対面する透明板を合成樹脂製の樹脂板２６としたので、樹脂板２６をドーム状にしたり重要部分に対面する中央部を平板状にして周囲をテーパ状にするなど、パチンコ遊技機１０の枠体の多様なデザインと釣り合わせたさまざまなデザインが可能になる。樹脂板２６であるから、簡単には破損しない強度の合成樹脂材料を使用して破損を防止できる。たとえ割られても危険な破片が飛び散らず安全性が高い。【選択図】　図２
2004024401.tif 000002
【特許請求の範囲】
【請求項１】
パチンコ遊技機の遊技盤の前方に配されて自身と前記遊技盤との間に遊技領域となる空間を形成する透明な平板と、
該平板の遊技者側に配される透明な樹脂板と該樹脂板の外周に沿った環状の枠部とが一体成形された樹脂部材とからなり、
前記平板と前記枠部とを連結し一体化した
ことを特徴とする遊技盤カバー体。
【請求項２】
請求項１記載の遊技盤カバー体において、
前記樹脂板の遊技者側になる面には耐擦傷性のコーティングが施されていることを特徴とする遊技盤カバー体。
【請求項３】
請求項１または２記載の遊技盤カバー体において、
前記平板と前記枠部とは接着剤によって接着されていることを特徴とする遊技盤カバー体。
【請求項４】
請求項１、２又は３記載の遊技盤カバー体において、
前記平板はガラス板であることを特徴とする遊技盤カバー体。
【発明の詳細な説明】
【０００１】
【発明の属する技術分野】
本発明は、パチンコ遊技機の技術分野に属する。
【０００２】
【従来の技術】
パチンコ遊技機においては、遊技盤の前方にガラス板が配されて、そのガラス板と遊技盤との間に遊技領域となる空間が形成される。遊技領域には入賞装置や遊技釘、風車等が配置され、発射装置にて発射されて遊技領域に撃ち込まれた遊技球の挙動によって遊技が行われ、入賞等が成立すれば遊技球（賞球）が払い出されるのが普通である。
【０００３】
従って、遊技の実行だけならガラス板は１枚だけでよいのだが、主に不正行為に対する耐性を高めるために、さらにもう１枚のガラス板を遊技者側に配していた。また、ガラス板を２重にすることで騒音を抑制する効果もある。
これら２重のガラス板を枠体で保持して複層ガラス構造とする技術がある（例えば特開平７−２４１２０号公報）。特開平７−２４１２０号公報に開示される技術は騒音防止には効果がある。
【０００４】
【発明が解決しようとする課題】
しかしながら、特開平７−２４１２０号公報に開示される複層ガラス構造は、ガラス板であるために例えば遊技者に叩かれたりして割られることがあった。また、近年ではパチンコ遊技機の枠体の多くがプラスチック製にされていてさまざまなデザインが可能になっているのに、平坦なガラス板が枠体のデザインと釣り合わないこともあった。さらに、２枚のガラス板の合計重量は小さくはなくて、例えば着脱等の作業における取り扱いが簡単ではなかった。
【０００５】
【課題を解決するための手段及び発明の効果】
請求項１記載の遊技盤カバー体は、パチンコ遊技機の遊技盤の前方に配されて自身と前記遊技盤との間に遊技領域となる空間を形成する透明な平板と、該平板の遊技者側に配される透明な樹脂板と該樹脂板の外周に沿った環状の枠部とが一体成形された樹脂部材とからなり、前記平板と前記枠部とを連結し一体化したことを特徴とする。
【０００６】
遊技盤に対面して遊技領域を形成する透明な平板、その平板の遊技者側に配される透明な樹脂板及び樹脂板の外周に沿った環状の枠部を一体化しているが、少なくとも樹脂板と枠部とが合成樹脂製であるので合計重量は小さくて、着脱等の作業における取り扱いが簡単になる。
【０００７】
樹脂板と枠部とが樹脂部材として一体成形されているので、樹脂板と枠部とを別々に製造して例えば接着するのに比べて、製造工程が単純化され製造効率も向上する。なお、枠部が「環状」というのは円環状のことではなくて（円環状を除外するのではない。）、例えば矩形でもよく、額縁状に閉じていることをいう。ただし、完全な閉鎖環状でなくても（例えば一部に切れ目があるＣリング状などであっても）実質的に環状になっていればよい。
【０００８】
遊技者に対面する透明板を合成樹脂製の樹脂板としたので、樹脂板を例えば遊技者側に膨らんだドーム状にしたり例えば図柄表示装置等の重要部分に対面する中央部を平板状にして周囲をテーパ状にするなど、パチンコ遊技機の枠体の多様なデザインと釣り合わせたさまざまなデザインが可能になる。
【０００９】
しかも、樹脂板であるから、例えば遊技者に叩かれた程度では破損しないような強度の合成樹脂材料を使用して破損を防止できる。また、たとえ割られても危険な破片が飛び散るおそれはないから、安全性が高い。このような高強度の樹脂材料で入手しやすいものにポリカーボネートがある。
【００１０】
請求項２記載の遊技盤カバー体は、請求項１記載の遊技盤カバー体において、前記樹脂板の遊技者側になる面には耐擦傷性のコーティングが施されているので、例えば硬貨のようなもので擦られても傷が付きにくい。耐擦傷性のコーティングは、例えばメラミン樹脂やシリコン樹脂にて実現できる。
【００１１】
請求項３記載の遊技盤カバー体は、請求項１または２記載の遊技盤カバー体において、前記平板と前記枠部とは接着剤によって接着されている。接着剤を用いることで、例えばボルト等の連結手段を使用する場合のように、連結用の穴や爪等を設ける必要がなくなり、平板及び枠部の構造が複雑化しない。また、穴等を設けることは強度低下になるが、これも回避できる。
【００１２】
請求項４記載の遊技盤カバー体は、請求項１、２又は３記載の遊技盤カバー体において、前記平板はガラス板であることを特徴とする。
遊技領域となる空間を形成するための透明な平板としてガラス板を使用しているので、遊技球の衝突圧などによってたわむおそれがない。平板がたわむと遊技球が平板と釘との間に噛み込んで落下できなくなるおそれがあるが、ガラス板であるとその発生のおそれがない。
【００１３】
また、ガラス板は遊技球との接触によって傷つくおそれはないし、遊技球との接触に伴って静電気が発生したり蓄積されにくいから、静電気によって吸着されたほこり等で汚れる心配もない。
なお、請求項１〜４記載の遊技盤カバー体において、枠部を閉鎖環状にして平板と枠部とを例えば接着剤によって密着状に接合して内部空間を密封すれば、内部空間にほこりやたばこの煙等が入り込んで内面を汚すのを防止できる。
【００１４】
【発明の実施の形態】
次に、本発明の実施例により発明の実施の形態を説明する。
【００１５】
【実施例】
図１に示すように、パチンコ遊技機１０は正面から見た形状が長方形の外枠１２を備えている。外枠１２は公知のパチンコ遊技機のものと同様であり、その内側に各種の機構を収容している。それらの機構もまた公知のパチンコ遊技機のものと同様であるので、図示と説明は省略する。
【００１６】
外枠１２には、上下のヒンジ１３を介して中枠１４が取り付けられている。中枠１４はヒンジ１３を軸として扉状に開閉可能であるが、通常は図示するように閉じられている。
その中枠１４の前面側の上半部には、遊技盤（図示は省略）を臨ませる窓２２を有する窓枠体１５が、ヒンジ１６ａ、１６ｂを介して扉状に開閉可能に取り付けられ、その下方にては上皿体１７がヒンジ１６ｂ、１６ｃを介して扉状に開閉可能に取り付けられている。これらも通常は図示するように中枠１４の前面側に閉じられている。
【００１７】
さらに、上皿体１７の下方にては下皿１８及び灰皿１９が、下皿パネル２０を介して中枠１４の前面側に取り付けられている。下皿パネル２０は中枠１４に固着（一体化）されている。また、下皿１８の右側には発射ハンドル２１が取り付けられている。これら下皿１８、灰皿１９及び発射ハンドル２１は、デザイン的な差異を除けば公知のパチンコ遊技機に装備されているものと変わるところはない。
【００１８】
図１、図２に示すように、窓枠体１５には円形の窓２２が設けられている。窓２２のサイズは遊技盤（図示は省略）に形成された遊技領域（ガイドレール等で区画されるほぼ円形の領域で、この領域に入賞装置等が配置されている。）とほぼ等しく、図１に示す状態のときには、中枠１４によって保持されている遊技盤の遊技領域とほぼ重なる位置に設けられている。
【００１９】
この窓２２には、遊技盤カバー体に該当する閉窓体２４がはめ込まれている。図２に示すように、閉窓体２４は窓２２の内周に整合する筒状の枠部２５、その前面側を閉じている平板状の樹脂板２６、樹脂板２６と平行に配されて枠部２５接着されているガラス板２９とから構成されている。
【００２０】
枠部２５には、ガラス板２９の外周を嵌合状態に保持するためのフランジ部２７が、外周側に張り出した状態で設けられている。枠部２５が筒状であり、そのフランジ部２７とガラス板２９とが密着状に接着されているので、閉窓体２４の内部空間は密封状態となっている。
【００２１】
樹脂板２６及び枠部２５（フランジ部２７を含む）は透明なポリカーボネートの射出圧縮成形により一体成形されている（樹脂部材に該当）。射出圧縮成形を採用しているので、成形圧が全体でほぼ均等になり、歪みが低減され、また反りやヒケもなく寸法精度が良好である。特に、樹脂板２６に歪みが無く光学的な性状が全面でほぼ均質になるので遊技領域の視認性が悪化するおそれはない。
【００２２】
しかも、樹脂板２６がポリカーボネート製であるから、例えば遊技者に叩かれた程度では破損しない。また、たとえ割られても危険な破片が飛び散るおそれはないから、安全性が高い。
さらに、樹脂板２６の表面（遊技者に対面する面）はメラミン樹脂の耐擦傷性のコーティングが施されている。このため、遊技者のいたずら等で傷付く心配もない。
【００２３】
図示は省略しているが、閉窓体２４はフランジ部２７から延出された爪を窓２２の周方向に沿って窓枠体１５に設けられた係合溝に係合させることで固定されており、その取付は爪を係合溝の入口に合わせてから閉窓体２４を回転させることで爪を係合溝の奥に入れて係合させている。したがって、前方から閉窓体２４を押されても、これが後方に移動して脱落することはない。また、閉窓体２４を上記とは逆に回せば係合を解除して閉窓体２４を取り外すことができる。このため、閉窓体２４が傷ついたり破損した場合には、閉窓体２４だけを交換することができる。なお、閉窓体２４の交換を考慮しなければ、窓枠体１５に接着する構成も採用できる。
【００２４】
窓２２の内周は枠部２５及びフランジ部２７の形状に整合する段差状とされており、枠部２５及びフランジ部２７は窓２２の内周と密接して固定されている。つまり窓２２と閉窓体２４との間に隙間が無く、また枠部２５が円筒状であるのでこれを上下や左右（枠部２５の径方向）にずらすこともできない。したがって、窓２２と閉窓体２４との間から薄板や針金等を差し込んでの不正行為が確実に防止される。
【００２５】
閉窓体２４の背後を閉じているガラス板２９は、図１に示す状態のときに遊技盤とほぼ平行（間隔は約２０ｍｍ）となってその前面側を覆い、遊技盤から窓枠体１５側への遊技球の飛び出しを防止する。つまり、遊技領域の前後方向寸法（奥行き）を規定する。
【００２６】
窓枠体１５の窓２２にはめ込まれる閉窓体２４の樹脂板２６がプラスチック製であるから、その外形や凹凸などを自在にできる。よってデザイン性はきわめて優れている。
しかも、閉窓体２４の樹脂部材部分の製造には射出成形などの成形方法を採用できるから、きわめて簡単にさまざまな形状に成形でき、そのコストも低い。
【００２７】
また、閉窓体２４の外周形状及び寸法を窓２２の内周形状及び寸法と整合させることができるので、窓２２との間に隙間無くはめ込んで確実に固定できるから、薄板や針金を差し込む行為に対する耐性は極めて高い。しかも、内側となる部分にフランジ部２７が設けられているので、薄板や針金の差込に対する耐性がより向上している。
【００２８】
さらに、窓２２を円形にして枠部２５を円筒状にしているので、窓２２にはめ込まれた閉窓体２４を窓２２の径方向にずらすことはまず不可能になる。よって、薄板や針金を差し込む行為に対する耐性は極めて高い。また、円形は遊技盤面に形成される遊技領域の形状とほぼ整合するから、デザイン的に安定して優れたものになる。
【００２９】
樹脂板２６及び枠部２５は透明なプラスチックで一体成形されるので、樹脂板２６は、図３に例示するように中心部が遊技者側に膨らんだドーム状の曲面体にできる。このように遊技者側に凸のドーム状とした場合には、遊技者に立体感を感じさせ、樹脂板２６がレンズ的に作用するので遊技領域を広く感じさせる。
【００３０】
また、図示は省略するがその他の立体形状にもできるから、パチンコ遊技機の枠体の多様なデザインと釣り合わせたさまざまなデザインが可能になる。
本実施例の閉窓体２４は、樹脂板２６と枠部２５とが合成樹脂製であるので合計重量は小さくて、着脱等の作業における取り扱いが簡単になる。
【００３１】
樹脂板２６と枠部２５とが樹脂部材として一体成形されているので、樹脂板２６と枠部２５とを別々に製造して例えば接着するのに比べて、製造工程が単純化され製造効率も向上する。
遊技者に対面する透明板を合成樹脂製の樹脂板２６としたので、樹脂板２６を図３のように遊技者側に膨らんだドーム状にしたり例えば図柄表示装置等の重要部分に対面する中央部を平板状にして周囲をテーパ状にするなど、パチンコ遊技機１０の枠体の多様なデザインと釣り合わせたさまざまなデザインが可能になる。
【００３２】
しかも、樹脂板２６であるから、例えば遊技者に叩かれた程度では破損しないような強度の合成樹脂材料を使用して破損を防止できる。また、たとえ割られても危険な破片が飛び散るおそれはないから、安全性が高い。
樹脂板２６の遊技者側になる面には耐擦傷性のコーティングが施されているので、例えば硬貨のようなもので擦られても傷が付きにくい。
【００３３】
ガラス板２９と枠部２５（フランジ部２７）とは接着剤によって接着されており、例えばボルト等の連結手段を使用する場合のように、連結用の穴や爪等を設ける必要がなくなり、ガラス板２９及び枠部２５の構造が複雑化しない。また、穴等を設けることは強度低下になるが、これも回避できる。
【００３４】
遊技盤に対面して遊技領域となる空間を形成するための透明な平板としてガラス板２９を使用しているので、遊技球の衝突圧などによってたわむおそれがない。平板がたわむと遊技球が平板と釘との間に噛み込んで落下できなくなるおそれがあるが、ガラス板２９であるとその発生のおそれがない。
【００３５】
また、ガラス板２９は遊技球との接触によって傷つくおそれはないし、遊技球との接触に伴って静電気が発生したり蓄積されにくいから、静電気によって吸着されたほこり等で汚れる心配もない。
さらに、ガラス板２９と枠部２５とを接着剤によって密着状に接合して内部空間を密封しているので、内部空間にほこりやたばこの煙等が入り込んで内面を汚すこともない。
【００３６】
以上、実施例及び変形例にしたがって本発明の実施の形態を説明したが、本発明はこれらの例に限定されるものではない。
【図面の簡単な説明】
【図１】実施例のパチンコ遊技機の説明図。
【図２】実施例の窓枠体の説明図であり、（ａ）は正面図、（ｂ）は（ａ）のＡＡ−ＡＡ断面図、（ｃ）は枠部とガラス板との嵌合状態を示すための（ｂ）の一部拡大図。
【図３】樹脂板をドーム状にした窓枠体の縦断面図。
【符号の説明】
１０　　　　パチンコ遊技機
１２　　　　外枠
１４　　　　中枠
１５　　　　窓枠体
２２　　　　窓
２４　　　　閉窓体（遊技盤カバー体）
２５　　　　枠部
２６　　　　樹脂板
２７　　　　フランジ部
２９　　　　ガラス板（平板）
【図１】
2004024401.tif 000003
【図２】
2004024401.tif 000004
【図３】
2004024401.tif 000005